(57)【特許請求の範囲】
【請求項１】
上側体と下側体とからなる軒樋継手において、
前記上側体は、屋内側に向けて傾く傾斜前壁と、この傾斜前壁の上端部の両側に設けられた軒樋耳押え片と下端部のほぼ中央部に設けられた係止凸部とからなり、
前記下側体は、継手本体と、摺動体と、クリップとからなり、
継手本体は、一端部側の軒樋接続部と他端部側の嵌合部とからなり、軒樋接続部の上端部には、軒樋耳押え片が設けられ、嵌合部には内面幅方向に沿ってパッキンと前側部の上端部に係止部とが設けられ、
摺動体は、一端部側の軒樋接続部と他端部側の摺動部とからなり、軒樋接続部の上端部には軒樋耳押え片が設けられ、摺動部には前側部の上端部に係止受部が設けられ、
クリップには、上端部に引掛部とこの引掛部の先端部よりほぼ水平に突き出た塞ぎ片と下端部に掴み部とが設けられ、
継手本体の嵌合部の内側に摺動体の摺動部が摺動自在に取り付けられ、クリップを継手本体の係止部と摺動体の係止受部に嵌め込むことにより、継手本体と摺動体とが固定され、クリップを外して、上側体の係止凸部を下側体の摺動部の係止受部に嵌め込むことにより、上側体と下側体とが固定されるようになされていることを特徴とする軒樋継手。
【発明の詳細な説明】
【０００１】
【発明の属する技術分野】
本発明は、軒樋継手に関する。
【０００２】
【従来の技術】
従来、軒樋を接続するための軒樋継手には、特開平４−２０６４６号公報及び特開平４−１８９９６１号公報に記載されている軒樋継手が知られている。
前者の特開平４−２０６４６号公報に記載されている軒樋継手は、軒樋継手が上側体と下側体とからなり、上側体の下端部に設けた上側嵌合部と下側体の上端部に設けた下側嵌合部との間を接着剤にて接着してなるものである。
【０００３】
この軒樋継手は、上側体と下側体とに分割されてされており、軒樋の側壁のデザインが変わったとき、新たに軒樋継手の全体の金型を成形する必要がなく、上側体を種々のデザインのものにして、上側体の金型を成形して対応でき、金型製作費を削減することができ、便利なものである。
【０００４】
又、後者の特開平４−１８９９６１号公報に記載されている軒樋継手は、継手本体と、摺動体と、クリップとからなり、継手本体には、一端部側に軒樋接続部と軒樋接続部の上端部に軒樋耳押え片と、他端部側に幅方向に沿ってパッキンとが設けられ、摺動体には、一端部側に軒樋接続部と、他端部側に摺動部が設けられ、クリップには、上端部に挟持部と下端部に掴み部とが設けられ、継手本体と摺動体とを所定位置にクリップで固定し、軒樋を接続後、クリップを取り除くものである。
【０００５】
この軒樋継手は、継手本体と摺動体とを所定位置にクリップで固定するから、継手本体と摺動体とは動かず、軒樋を軒樋継手に接続しやすく、接続後、クリップを取り除くことによって、継手本体と摺動体とが摺動自在になり、軒樋の伸縮を吸収できる便利なものである。
【０００６】
【発明が解決しようとする課題】
ところが、上記の前者の特開平４−２０６４６号公報に記載されている軒樋継手では、上側体の下端部に設けた上側嵌合部と下側体の上端部に設けた下側嵌合部とを接着剤で接着しているため、軒樋の伸縮を吸収できないという問題があった。
【０００７】
又、接続時、高所で、見えにくい所では、上側嵌合部と下側嵌合部との端同士がきちんと揃えずに嵌合したり、施工中、手や物があたったりして、上側体と下側体がずれて接着されることがあり、ずれて接着されたり、又、上側体が一方の軒樋に合わせて一方の方向に動き、下側体が他方の軒樋に合わせて他方の方向に動いたりして、上側体と下側体の位置が長時間たつとずれたりして、外観が良くなく、又、端同士をきちんと揃えようとすると、時間や手間がかかったりして、効率が良くないという問題があった。
【０００８】
上記の後者の特開平４−１８９９６１号公報に記載されている軒樋継手では、軒樋の側壁のデザインが変わったとき、上側体と下側体とが分割されておらず、軒樋継手全体を種々のデザインのものにして、金型を成形して対応せねばならず、金型製作費が嵩み、コストアップの要因になるという問題があった。
【０００９】
そこで、本発明の目的は、上側体と下側体とがずれて接合されることがなく、伸縮等で軒樋が移動しても上側体と下側体とがずれず、上側体を種々のデザインのものにして、上側体の金型を成形して対応でき、金型製作費を削減することができる軒樋継手を提供するものである。
【００１０】
【課題を解決するための手段】
本発明は上記の目的を達成するためになされたもので、上側体と下側体とからなる軒樋継手において、上側体は、屋内側に向けて傾く傾斜前壁と、この傾斜前壁の上端部の両側に設けられた軒樋耳押え片と下端部のほぼ中央部に設けられた係止凸部とからなり、下側体は、継手本体と、摺動体と、クリップとからなり、継手本体は、一端部側の軒樋接続部と他端部側の嵌合部とからなり、軒樋接続部の上端部には、軒樋耳押え片が設けられ、嵌合部には内面幅方向に沿ってパッキンと前側部の上端部に係止部とが設けられ、摺動体は、一端部側の軒樋接続部と他端部側の摺動部とからなり、軒樋接続部の上端部には軒樋耳押え片が設けられ、摺動部には前側部の上端部に係止受部が設けられ、クリップには、上端部に引掛部とこの引掛部の先端部よりほぼ水平に突き出た塞ぎ片と下端部に掴み部とが設けられ、継手本体の嵌合部の内側に摺動体の摺動部が摺動自在に取り付けられ、クリップを継手本体の係止部と摺動体の係止受部に嵌め込むことにより、継手本体と摺動体とが固定され、クリップを外して、上側体の係止凸部を下側体の摺動部の係止受部に嵌め込むことにより、上側体と下側体とが固定されるようになされているものである。
【００１１】
本発明の軒樋継手の上側体と下側体の材質は、合成樹脂、金属等適宜な材質でよく、例えば、合成樹脂で、軒樋が硬質塩化ビニル樹脂である場合は、同じ材質を使用すると、接着も簡単にでき、軽量であるので、好ましい。
【００１２】
本発明の軒樋継手において、上側体の傾斜前壁の上端部の両側の軒樋耳押え片の形状は、軒樋を軒樋継手に差し込んだとき、上方から軒樋の屋外側耳部の上面を押さえることができれば、適宜な形状でよく、例えば、上側体の傾斜前壁の両上端縁から屋内側方向にほぼ水平に突出した小片を設け、この小片の先端部を垂下しておくと、軒樋耳押え片で屋外側耳部をしっかりと押さえつけて、止めることができるので、好ましい。
【００１３】
本発明の軒樋継手において、上側体の傾斜前壁の下端部と、下端部のほぼ中央部に係止凸部の形状について、下端部が継手本体と摺動部の前側部の上端部に嵌合でき、下端部のほぼ中央部に係止凸部が摺動部の前側部の上端部に設けられた係止受部（後述説明）に嵌合することができれば、適宜な形状でよく、例えば、傾斜前壁の下端部の形状を傾斜前壁の下端縁から内側に向けて断面形状がコ字状の上側嵌合部を設け、この上側嵌合部の内側壁のほぼ中央部から下方に向けて板状の係止凸部を設けたものにしておくと、上側嵌合部を継手本体と摺動部の前側部の上端部に嵌合して、係止凸部を摺動部の係止受部に嵌合することができるので、好ましい。
【００１４】
本発明の軒樋継手において、継手本体の嵌合部の前側部の係止部の形状は、クリップ（後述説明）の上端部の引掛部を継手本体の他端部側の上端部に引っ掛け、クリップが継手本体に係止することができれば、適宜な形状でよく、例えば、クリップのの引掛部の幅とほぼ同じ幅の間隔を開けて、継手本体の他端部側の上端部に２つの小リブを設けて係止部とすると、２つの小リブでクリップの引掛部を挟んで、クリップと継手本体とを係止することができるので、好ましい。
【００１５】
本発明の軒樋継手において、摺動部の前側部の上端部に設けられている係止受部の形状は、上側体の係止凸部を係止受部に嵌め込んで、上側体を下側体の摺動部に係止することができれば、適宜な形状でよく、例えば、継手本体の係止部より下の位置に、係止凸部の幅とほぼ同じ幅の間隔を開けて、下側体の摺動部の前側部の上端部に内方に向けて２つのリブを設けて係止受部とすると、上側体の係止凸部を係止受部に嵌め込んで、上側体を下側体の摺動部に係止することができるので、好ましい。
【００１６】
本発明の軒樋継手において、クリップの形状は、上端部の引掛部で摺動部の前側部の上端部を覆っている継手本体の嵌合部の前側部の上端部を引っ掛け、引掛部の先端部の塞ぎ片で係止受部の２つのリブを上から覆い、上側体の係止凸部が係止受部に嵌め込まれないようにすることができれば、適宜な形状でよく、例えば、クリップの上端部に、断面形状がコ字形にして引掛部とし、引掛部の内側壁の先端部よりほぼ水平に突き出して塞ぎ片とし、下端部に塞ぎ片と反対方向に曲げて掴み部を作ったものにすると、引掛部で継手本体の嵌合部の前側部の上端部を引っ掛け、引掛部の先端部の塞ぎ片で係止受部の２つのリブを上から覆い、上側体の係止凸部が係止受部に嵌め込まれないようにするので、好ましい。
【００１７】
本発明の軒樋継手の上側体と下側体とは、それぞれを射出成型法で成形すると、美観の点で好ましい。
【００１８】
【作用】
本発明の軒樋継手は、上側体の傾斜前壁の上端部の両側に軒樋耳押え片と下端部のほぼ中央部に係止凸部とが設けられ、下側体は、継手本体と、摺動体と、クリップとからなり、継手本体には、嵌合部が、摺動体には、摺動部と摺動部の前側部の上端部に係止受部とが設けられているから、下側体の継手本体の嵌合部の前側部に、摺動体の摺動部を嵌め込んで、上側体の係止凸部を摺動部の前側部の上端部の係止受部に嵌め込むことによって、分割されている上側体と下側体とを簡単に接合でき、上側体と下側体とがずれて接合されることがなく、上側体と下側体とを固定でき、伸縮等で軒樋が移動しても、上側体は摺動部の係止受部に取り付けられており、伸縮も吸収することができ、上側体と下側体とが別々にずれることはない。
【００１９】
又、継手本体には、嵌合部の前側部の上端部に係止部が設けられ、摺動体には、摺動部の前側部の上端部に係止受部が設けられ、クリップには、上端部に引掛部と引掛部の内側壁の先端部よりほぼ水平に突き出した塞ぎ片とが設けられているから、継手本体の嵌合部の前側部に、摺動体の摺動部を嵌め込んで、継手本体の係止部の２つの小リブ間にクリップの引掛部の内側壁を嵌め込み、摺動部の係止受部の２つのリブ間にクリップの塞ぎ片を嵌め込むことによって、継手本体と摺動体とを仮固定することができ、両端部の軒樋接続部に軒樋を接続するとき、継手本体と摺動体のどちらかがずれたりするようなことがなく、簡単に接続することができる。
【００２０】
又、クリップの塞ぎ片と上側体の係止凸部とが同じ摺動部の係止受部の２つのリブ間に嵌め込まれるようになされているから、上側体の係止凸部を摺動部の係止受部に嵌め込んで、上側体を下側体に取り付けるとき、クリップを取り外さないと、上側体の係止凸部を嵌め込むことができず、クリップの取り外し忘れをなくすことができる。
【００２１】
又、継手本体には、嵌合部の内面幅方向に沿ってパッキンが設けられているから、下側体の継手本体の嵌合部の内側部に、摺動体の摺動部を嵌め込むことによって、継手本体と摺動体との接続部分をパッキンで水封することができる。
【００２２】
上側体は、傾斜前壁とされ、パッキンや摺動代が設けられていないため、傾斜前壁の表面を凹凸形状にする必要はなく、外観の良い上側体を作ることができる。
【００２３】
【実施例】
以下，本発明の一実施例を図１〜図６に基づいて詳述する。
図１は軒樋継手の分解斜視説明図、図２は軒樋継手の斜視説明図、図３は継手本体の係止部と摺動体の係止受部とにクリップが嵌め込まれる状態を示す斜視説明図、図４は継手本体の係止部と摺動体の係止受部とにクリップが嵌め込まれた状態を示す（図３のＸ−Ｘ矢視）断面図、図５は継手本体の係止部と摺動体の係止受部とに上側体の係止凸部が嵌め込まれる状態を示す斜視説明図、図６は継手本体の係止部と摺動体の係止受部とに上側体の係止凸部が嵌め込まれた状態を示す（図５のＹ−Ｙ矢視）断面図、図７は軒樋同士を軒樋継手で接続されている状態を示す側面図である。
【００２４】
図１において，Ａは軒樋継手であり、この軒樋継手Ａは合成樹脂（硬質塩化ビニール樹脂）製であり、上側体１と下側体２とからなっている。
上側体１には、傾斜前壁１１と、傾斜前壁１１の上端部の両側に軒樋耳押え片１２と、傾斜前壁１１の下端部に上側嵌合部１３とが設けられ、さらに上側嵌合部１３の屋内側壁のほぼ中央部には下方に向けて板状の係止凸部１４が設けられている。
【００２５】
傾斜前壁１１は、ほぼ長方形で、凹凸のない板体で、若干屋内側方に傾斜されている。
軒樋耳押え片１２は、傾斜前壁１１の両上端縁より屋内側にほぼ水平に突出した小片で、この小片の先端部が垂下されている。
上側嵌合部１３は、断面形状がコ字状になされ、上側体１の長手方向に沿って、開口部１５を下向きにして設けられ、この開口部１５の幅は、下側体２（後述説明）の継手本体３の前側側壁３１の上端部の幅と係止部を合わせた長さとほぼ同じになされている。
係止凸部１４は、小板状になされている。
【００２６】
下側体２は、継手本体３と、摺動体４と、クリップ５とからなっている。
継手本体３は、前側側壁３１と後側側壁３２と底板３３とからなる溝型であって、継手本体３には、一端部側に軒樋接続部３４が設けられ、軒樋接続部３４の上端部には軒樋耳押え片３５と、軒樋の前壁に係合する突片３５ａが設けられている。又、他端部側の嵌合部３８には幅方向に沿ってパッキン３６と前側側壁３１の上端部に係止部３７とが設けられている。
【００２７】
軒樋耳押え片３５は、後側側壁３２の上端縁より内側にほぼ水平に突出した小片で、この小片の先端部が垂下されている。
突片３５ａは、前側側壁３１の上端縁より内側にほぼ水平に突出した小片になされている。
パッキン３６は、嵌合部３８の内面幅方向のほぼ中央部に沿って、溝部が設けられ、この溝部の中に埋め込まれている。
係止部３７は、前側側壁３１の内側の上端部に、クリップ５（後述説明）の引掛部５１の幅とほぼ同じ幅の間隔を開けて、２つの小リブ３７ａが設けて係止部３７とされている。
【００２８】
摺動体４は、前側側壁４１と後側側壁４２と底板４３とからなる溝型であって、摺動体４には、一端部側に軒樋接続部４４が設けられ、軒樋接続部４４の上端部には軒樋耳押え片４５と、軒樋の前壁に係合する突片４５ａが設けられている。又、他端部側には摺動部４６と摺動部４６の前側側壁４１の上端部に係止受部４７とが設けられている。係止受部４７は継手本体３に摺動体４が嵌め込まれたとき、継手本体３の係止部３７よりも屋内側に突出するように延設されている。
【００２９】
軒樋耳押え片４５は、後側側壁４２の上端縁より内側にほぼ水平に突出した小片で、この小片の先端部が垂下されている。
突片４５ａは、前側側壁４１の上端縁より内側にほぼ水平に突出した小片になされている。
係止受部４７は、継手本体３の係止部３７より下の位置に、係止凸部１４の幅とほぼ同じ幅の間隔を開けて、摺動部４６の前側側壁４１の上端部に内方に向けて２つのリブ４７ａを設けて係止受部４７となされている。
尚、係止凸部１４の幅とクリップ５（後述説明）の引掛部５１の幅とはほぼ同じ幅になされている。
【００３０】
クリップ５は、上端部の引掛部５１と塞ぎ片５２と、下端部の掴み部５３とからなっている。
引掛部５１は、断面形状がコ字形で、屋内側方に向けられ、開口部が下向きになされている。
塞ぎ片５２は、引掛部５１の屋内側壁の先端部よりほぼ水平に突き出して設けられている。
掴み部５３は、下端部に塞ぎ片５２と反対方向に曲げて設けられている。
【００３１】
図３と図４に示すように、継手本体３の嵌合部３８に摺動体４の摺動部４６を嵌め込み、継手本体３の係止部３７と摺動体４の係止受部４７との位置を揃え、クリップ５の引掛部５１を継手本体３の嵌合部３８の係止部３７の２つの小リブ３７ａ間に嵌めると、クリップ５の塞ぎ片５２が摺動部４６の前側側壁４１の上端部の係止受部４７の２つのリブ４７ａ間に嵌まるようになされている。
【００３２】
継手本体３と摺動体４をクリップ５で止めて、両側の軒樋接続部３４、４４に軒樋６を接続した後、クリップ５を外して、図５と図６に示すように、上側体１の上側嵌合部１３を継手本体３の嵌合部３８の上端部と突片３５ａ、４５ａとに嵌め込むようにして、上側嵌合部１３の係止凸部１４を下側体２の摺動体４の係止受部４７の２つのリブ４７ａ間に嵌め込んで、上側体１を下側体３に固定できるようになされている。
尚、図４と図６に示すように、係止部３７と係止受部４７は、クリップ５に対しては両方とも係止され、上側体１に対しては係止部３７は干渉しない位置に形成されている。
【００３３】
次に，この軒樋継手Ａの取付方法を説明しながら、作用を説明する。
工場から、継手本体３の嵌合部３８に摺動体４の摺動部４６が嵌め込まれ、クリップ５の引掛部５１が継手本体３の嵌合部３８の係止部３７の２つの小リブ３７ａ間に嵌め込まれ、塞ぎ片５２が係止受部４７の２つのリブ４７ａ間に嵌め込まれた状態でている下側体２とを出荷する。
【００３４】
次に、施工現場で、下側体２の両端部の軒樋接続部３４、４４の内周面に沿って帯状に接着剤を塗布する。
次に、軒先に取り付けられた一方の軒樋６の端部の後側耳部に、継手本体３の後側側壁３２の上端部の一方の押し片３５を引っ掛ける。
次に、軒先に取り付けられた他方の軒樋６の端部の後側側耳部に摺動体４の後側側壁４２の上端部の他方の押し片４５を引っ掛ける。
【００３５】
次に、軒樋６の後側耳部を軸にして下側体２を前方向に回動させる。
次に、継手本体３の前側側壁３１の突片３５ａと摺動体４の前側側壁４１の突片４５ａとを、軒樋３の前側側壁の長手方向のほぼ中央部に形成されている溝部（図示省略）内に嵌め込んで、下側体２の両端部の軒樋接続部３４、４４に軒樋６、６を接続する。
次に、下側体２のクリップ５の掴み部５３を上方に上げて、クリップ５の引掛部５１を継手本体３の他端部側の係止部３７から外して、クリップ５を継手本体３から取り去る。
【００３６】
次に、上側体１の上端部の軒樋耳押え片１２、１２を軒樋の前側耳部に引っ掛ける。
次に、上側体１の下端部の上側嵌合部１３を継手本体３の嵌合部３８の上端部と突片３５ａ、４５ａとに嵌め込むようにして、上側嵌合部１３の係止凸部１４を下側体２の摺動体４の係止受部４７の２つのリブ４７ａ間に嵌め込んで、上側体１を下側体２の摺動体４に固定する。
【００３７】
このようにすると、上側体１の傾斜前壁１１の上端部の両側に軒樋耳押え片１２、１２と下端部のほぼ中央部に係止凸部１４とが設けられ、下側体２は、継手本体３と、摺動体４と、クリップ５とからなり、継手本体３には、嵌合部３８が、摺動体４には、摺動部４６と摺動部４６の前側部の上端部に係止受部４７とが設けられているから、下側体２の継手本体３の嵌合部３８の内側部に、摺動体５の摺動部４６を嵌め込んで、上側体１の係止凸部１４を摺動部４６の前側部の上端部の係止受部４７に嵌め込むことによって、分割されている上側体１と下側体２とを簡単に接合でき、上側体１と下側体２とがずれて接合されることがなく、上側体１と下側体２とを固定でき、伸縮等で軒樋が移動しても、上側体１は摺動体４の係止受部４７に取り付けられており、伸縮も吸収することができ、上側体１と下側体２とが別々にずれることはない。
【００３８】
又、継手本体３には、嵌合部３８の前側部３１の上端部に係止部３７が設けられ、摺動体５には、摺動部４６の前側部４１の上端部に係止受部４７が設けられ、クリップ５には、上端部に引掛部５１と引掛部５１の内側壁の先端部よりほぼ水平に突き出した塞ぎ片５２とが設けられているから、継手本体３の嵌合部３８の内側に、摺動体５の摺動部４６を嵌め込んで、継手本体３の係止部３７の２つの小リブ３７ａ間にクリップ５の引掛部５１の内側壁を嵌め込み、摺動部４６の係止受部４７の２つのリブ４７ａ間にクリップ５の塞ぎ片５２を嵌め込むことによって、継手本体３と摺動体５とを仮固定することができ、両端部の軒樋接続部３４、４４に軒樋６、６を接続するとき、継手本体３と摺動体５のどちらかがずれたりするようなことがなく、簡単に接続することができる。
【００３９】
又、クリップ５の塞ぎ片５２と上側体１の係止凸部１４とが同じ摺動部４６の係止受部４７の２つのリブ４７ａ間に嵌め込まれるようになされているから、上側体１の係止凸部１４を摺動部４６の係止受部４７に嵌め込んで、上側体１を下側体２に取り付けるとき、クリップ５を取り外さないと、上側体１の係止凸部１４を嵌め込むことができず、クリップ５の取り外し忘れをなくすことができる。
【００４０】
又、継手本体３には、嵌合部３８の内面幅方向に沿ってパッキン３６が設けられているから、下側体２の継手本体３の嵌合部３８の内側部に、摺動体５の摺動部４６を嵌め込むことによって、継手本体３と摺動体５との接続部分をパッキン３６で水封することができる。
【００４１】
上側体１は、傾斜前壁１１とされ、パッキン３６や摺動代が設けられていないため、傾斜前壁１１の表面を凹凸形状にする必要はなく、外観の良い上側体１を作ることができる。
【００４２】
【発明の効果】
以上説明してきたように、本発明の軒樋継手は、上側体の傾斜前壁の上端部の両側に軒樋耳押え片と下端部のほぼ中央部に係止凸部とが設けられ、下側体は、継手本体と、摺動体と、クリップとからなり、継手本体には、嵌合部が、摺動体には、摺動部と摺動部の前側部の上端部に係止受部とが設けられているから、下側体の継手本体の嵌合部の前側部に、摺動体の摺動部を嵌め込んで、上側体の係止凸部を摺動部の前側部の上端部の係止受部に嵌め込むことによって、分割されている上側体と下側体とを簡単に接合でき、上側体と下側体とがずれて接合されることがなく、上側体と下側体とを固定でき、伸縮等で軒樋が移動しても、上側体は摺動部の係止受部に取り付けられており、伸縮も吸収することができ、上側体と下側体とが別々にずれることはない。
【００４３】
又、継手本体には、嵌合部の前側部の上端部に係止部が設けられ、摺動体には、摺動部の前側部の上端部に係止受部が設けられ、クリップには、上端部に引掛部と引掛部の内側壁の先端部よりほぼ水平に突き出した塞ぎ片とが設けられているから、継手本体の嵌合部の前側部に、摺動体の摺動部を嵌め込んで、継手本体の係止部の２つの小リブ間にクリップの引掛部の内側壁を嵌め込み、摺動部の係止受部の２つのリブ間にクリップの塞ぎ片を嵌め込むことによって、継手本体と摺動体とを仮固定することができ、両端部の軒樋接続部に軒樋を接続するとき、継手本体と摺動体のどちらかがずれたりするようなことがなく、簡単に接続することができる。
【００４４】
又、クリップの塞ぎ片と上側体の係止凸部とが同じ摺動部の係止受部の２つのリブ間に嵌め込まれるようになされているから、上側体の係止凸部を摺動部の係止受部に嵌め込んで、上側体を下側体に取り付けるとき、クリップを取り外さないと、上側体の係止凸部を嵌め込むことができず、クリップの取り外し忘れをなくすことができる。
【００４５】
又、継手本体には、嵌合部の内面幅方向に沿ってパッキンが設けられているから、下側体の継手本体の嵌合部の内側部に、摺動体の摺動部を嵌め込むことによって、継手本体と摺動体との接続部分をパッキンで水封することができる。
【００４６】
上側体は、傾斜前壁とされ、パッキンや摺動代が設けられていないため、傾斜前壁の表面を凹凸形状にする必要はなく、外観の良い上側体を作ることができる。
【図面の簡単な説明】
【図１】軒樋継手の分解斜視説明図である。
【図２】軒樋継手の斜視説明図である。
【図３】継手本体の係止部と摺動体の係止受部とにクリップが嵌め込まれる状態を示す斜視説明図である。
【図４】継手本体の係止部と摺動体の係止受部とにクリップが嵌め込まれた状態を示す（図３のＸ−Ｘ矢視）断面図である。
【図５】継手本体の係止部と摺動体の係止受部とに上側体の係止凸部が嵌め込まれる状態を示す斜視説明図である。
【図６】継手本体の係止部と摺動体の係止受部とに上側体の係止凸部が嵌め込まれた状態を示す（図５のＹ−Ｙ矢視）断面図である。
【図７】軒樋同士を軒樋継手で接続されている状態を示す側面図である。
【符号の説明】
Ａ                  軒樋継手
１                    上側体
１１                傾斜前壁
１２                軒樋耳押え片
１３                上側嵌合部
１４                係止凸部
１５                開口部
２                  下側体
３                  継手本体
３１、４１          前側側壁
３２、４２          後側側壁
３３、４３          底板
３４、４４          軒樋接続部
３５、４５          軒樋耳押え片
３５ａ、４５ａ      突片
３６                パッキン
３７                係止部
３７ａ              小リブ
３８                嵌合部
４                  摺動体
４６                摺動部
４７                係止受部
４７ａ              リブ
５                  クリップ
５１                引掛部
５２                塞ぎ片
５３                掴み部
６                  軒樋
【図１】
0004109372.tif 000002
【図２】
0004109372.tif 000003
【図３】
0004109372.tif 000004
【図４】
0004109372.tif 000005
【図５】
0004109372.tif 000006
【図６】
0004109372.tif 000007
【図７】
0004109372.tif 000008